(57)【要約】　　　（修正有）【課題】わずかな撓みでも、光ファイバ心線を溝から容易に取り出すことができる構造を提供する。【解決手段】中心に抗張力体１を備え、外周に１本以上の螺旋溝孔を備えた溝付き棒状部材２の該溝内に１本又は２本以上の光ファイバ心線３を収納し、外周に押え巻き４を施し、最外層に被覆（５）を施したことからなる光ファイバケーブルにおいて、棒状部材２と押え巻き４との間に棒状部材の長手方向に延伸テープ６が、前記溝孔部分においては、溝内に導入されて、収納されている全ての光ファイバ心線の下方を通過するようにして、また非溝部分においては、棒状部材の外周面に添えられるようにして、１本以上装着されている光ファイバケーブル。【選択図】　　　　図１
2004012725.tif 000002
【特許請求の範囲】
【請求項１】
中心に抗張力体を備え、外周に１本以上の螺旋溝孔を備えた溝付き棒状部材の該溝内に１本又は２本以上の光ファイバ心線を収納し、外周に押え巻きを施し、最外層に被覆を施したことからなる光ファイバケーブルにおいて、棒状部材と押え巻きとの間に棒状部材の長手方向にひも状もしくはテープ状材が、前記溝孔部分においては、溝内に導入されて、収納されている全ての光ファイバ心線の下方を通過するようにして、また非溝部分においては、棒状部材の外周面に添えられるようにして、１本以上装着されていることを特徴とする光ファイバケーブル。
【請求項２】
請求項１記載の光ファイバケーブルであって、ひも状もしくはテープ状材は溝付き棒状部材の溝の螺旋方向とは反対の螺旋方向に巻き付けながら添えられていることを特徴とする光ファイバケーブル。
【発明の詳細な説明】
【０００１】
【発明の属する技術分野】
本発明は通信用光ファイバケーブルに関するものである。
【０００２】
【従来の技術】
従来、一方向撚りの溝付き棒状部材（スロット）から、スロットを切断しないで光ファイバ心線を取り出し、心線切断・加工しようとする場合、棒状部材を撓ませて、心線を溝から取り出す作業を行っている。
【０００３】
この場合、スロットを十分に撓ませる必要があり、スロットに十分な余長が無ければ、十分な撓みを確保できず、光ファイバ心線を溝から十分に浮かせることはできなかった。
【０００４】
【発明が解決しようとする課題】
本発明は係る問題を解決し、わずかな撓みでも、光ファイバ心線を溝から容易に取り出すことができる構造を提供するものである。
【０００５】
【課題を解決するための手段】
本発明は上記の事情に鑑みなされたものであり、
（１）中心に抗張力体を備え、外周に１本以上の螺旋溝孔を備えた溝付き棒状部材の該溝内に１本又は２本以上の光ファイバ心線を収納し、外周に押え巻きを施し、最外層に被覆を施したことからなる光ファイバケーブルにおいて、棒状部材と押え巻きとの間に棒状部材の長手方向にひも状もしくはテープ状材が、前記溝孔部分においては、溝内に導入されて、収納されている全ての光ファイバ心線の下方を通過するようにして、また非溝部分においては、棒状部材の外周面に添えられるようにして、１本以上装着されていることを特徴とする光ファイバケーブル、及び
（２）（１）項記載の光ファイバケーブルであって、ひも状もしくはテープ状材は溝付き棒状部材の溝の螺旋方向とは反対の螺旋方向に巻き付けながら添えられていることを特徴とする光ファイバケーブル
を提供するものである。
【０００６】
【発明の実施の形態】
本発明の光ファイバケーブルの好ましい実施態様を図面に従って説明する。
図１は本発明の光ファイバケーブルの最外層被覆と押え巻きをそれぞれ切除して示す正面図である。
図２（ａ）は図１のＡ部の拡大断面図、図２（ｂ）は図１のＢ部の拡大断面図である。
【０００７】
図１及び図２（ａ）（ｂ）において中心抗張力体１を有するポリエチレン製の、溝付き棒状部材２にテープ状光ファイバ心線３を５枚積層し積層体７として収納している。次に、棒状部材２の長手方向に沿って、外周面に延伸テープ６を縦添えする。ただし、溝孔１０の部分においては、積層体７の底の下方に延伸テープ６が通るよう縦添えする。次いで外周にプラスチック製の押え巻き４を施し、最外層にはポリエチレン製の外被５を施して、光ファイバケーブル９を作製する。両断面図において延伸テープ６を横方向に切断したときを表している。厳密には、溝の上部の線や光ファイバ心線の奥行き部分の線が見えることになるが省略されている。しかし、溝が溝付き棒状部材２の外周を螺旋状に形成されているため、光ファイバ心線の奥行き部分はすぐに溝の下部分に沈んでしまう。
【０００８】
この光ファイバケーブル９において、光ファイバ心線３を取り出すのは次のようにして行う。ケーブル外被５及び押え巻き４を除去した後、ケーブルを軽く撓ませ、取り出す溝の両側に位置する延伸テープ６を、溝１０の開口部側へ引き上げることにより、同時にテープ心線３を積層体７の形で溝外へ取り出すことができる。
【０００９】
また、端末部から、溝付き棒状部材と光ファイバ心線を完全分離したい場合、当該延伸テープ６を溝開口部側へ引き出すことにより全溝に収納されている光ファイバ心線を一挙に取り出すことができる。
【００１０】
延伸テープ６は、図１、２に示した添え方以外にも、図３に示すように螺旋状に装着されていても良い。この際、溝付き棒状部材２の溝螺旋方向とは逆向きの螺旋方向にて巻き付けるのが良い。図３において図１又は２と同符号は同じものを示す。
【００１１】
また、延伸テープ６は、複数本巻き付けても良い。
また光ファイバ心線３は図ではテープ状に複数本並設したものを示したが、本発明はこれに限定されない。図示しないが複数の光ファイバ心線をバンドル材で固定して溝内に収納するようにしてもよい。
【００１２】
次に、本発明の光ファイバケーブルの製造方法を図４に従って説明する。矢印の方向に進行するようにロール巻き１２から送り出される棒状部材２の長手方向に沿って外周面に、上述のように、溝孔部１０には底部にまで導入され、非溝部８には、上面に沿うようにロール巻き１６より延伸テープ６を装着し、次いでロール巻き１３より光ファイバ心線３を送り出し、棒状部材２の溝部１０に装入する。その後ロール巻き１４より押え巻き材を被覆する。図中１５は光ファイバ心線３を棒状部材２の溝に落とすための口金である。その後適宜の方法で外被５を施こして図１に示す光ファイバケーブルを作製する。
なお、上記の実施態様は、ひも状もしくはテープ状材の一例として延伸テープ６を用いた例について説明したが、延伸テープ６の代わりに、ひも状材を用いてもよいことはもちろんである。
【００１３】
【発明の効果】
以上説明したように、本発明を適用することにより、溝付き棒状部材の溝内に収納された光ファイバ心線を容易に取り出し、切断・加工することができる。
【図面の簡単な説明】
【図１】本発明の光ファイバケーブルの好ましい一実施態様の正面図。
【図２】（ａ）図１のＡ部の拡大断面図、（ｂ）は図１のＢ部の拡大断面図である。
【図３】本発明の光ファイバケーブルの別の実施態様の正面図である。
【図４】本発明の光ファイバケーブルの製造方法の説明図である。
【符号の説明】
１　中心抗張力体
２　溝付き棒状部材
３　光ファイバ心線
４　押え巻き
５　外被
６　延伸テープ
７　積層体
８　非溝部
９　光ファイバケーブル
１０　溝孔部分
１２　ロール巻き
１３　ロール巻き
１４　ロール巻き
１５　口金
１６　ロール巻き
【図１】
2004012725.tif 000003
【図２】
2004012725.tif 000004
【図３】
2004012725.tif 000005
【図４】
2004012725.tif 000006